(57)【要約】【課題】設定時に設定用パソコンと双方向のシリアル通信を行い、運用時にリモコン受信ユニットからリモコン信号を受信するカラオケアンプにおいて、シリアル通信コネクタと信号受信用コネクタを共用する。【解決手段】設定用パソコン２とシリアル通信するＲｘ，Ｔｘおよび２台のリモコン受信ユニット３，４の信号を受信するＲｍｏｔｅ０／１を有するＣＰＵ１０と、信号端子１２Ａ，１２Ｂを有するミニＤＩＮコネクタ１２とを備え、前記信号端子１２ＡにＲｘおよびＲｅｍｏｔｅ０を接続するとともに、信号端子１２ＢにＴｘおよびＲｅｍｏｔｅ１を接続する。【選択図】図３
2010057086.tif 000002
【特許請求の範囲】
【請求項１】
シリアル通信用の受信端子、送信端子および第１、第２の信号受信用端子を有し、シリアル通信動作および信号受信動作を実行する制御部と、
第１、第２の信号端子を有する外部機器接続用のコネクタと、
を備え、
前記第１の信号端子に前記受信端子および前記第１の信号受信用端子を接続するとともに、前記第２の信号端子に前記送信端子および前記第２の信号受信用端子を接続したことを特徴とする電子機器。
【請求項２】
前記制御部は、前記シリアル通信用の受信端子に信号が入力されたとき前記シリアル通信動作を実行し、前記第１または第２の信号受信用端子に信号が入力されたとき信号受信動作を実行する請求項１に記載の電子機器。
【発明の詳細な説明】
【技術分野】
【０００１】
双方向のシリアル通信と単方向の信号受信とを別々の場面で行うカラオケアンプ等の電子機器に関する。
【背景技術】
【０００２】
カラオケアンプは、その設置時に設置場所の広さ等の条件に合わせたボリューム、イコライザ、エコー等の音づくりの設定作業（インストール）が行われる。インストールは、効率的な作業が可能なノートパソコンを介して行われる。すなわち、カラオケアンプにシリアルインタフェースを介してノートパソコンを接続し、ノートパソコンで設定ソフトを起動してインストールを行う。このため、従来のカラオケアンプには、図１に示すように、シリアル通信用のＲＳ２３２Ｃ等のシリアルコネクタ１２０が設けられていた（非特 文献１参照）。
【０００３】
また、カラオケアンプには、選曲用リモコンからの赤外線信号を受信するためのリモコン受信ユニットが接続される。大きい部屋では２台のリモコン受信ユニットが設置される場合があるため、従来のカラオケアンプは、リモコン受信ユニットを２台接続可能なように、２つのリモコン受信ユニット接続用のコネクタ１２１，１２２が設けられていた。
【０００４】
このため、カラオケアンプの背面は図１に示すように３つのコネクタ１２０，１２１，１２２が配列される構成になっていた。
【０００５】
さらに、上記のように、±１２Ｖで信号を送受信するＲＳ２３２Ｃコネクタを有しているため、図２に示すように、カラオケアンプに内蔵されている５ＶのＴＴＬ回路との電圧レベルを変換する電圧レベル変換回路１１１を内蔵する必要があった。
【０００６】
【非特許文献１】「２００６  ＲＥＦＥＲＥＮＣＥ  ＣＡＴＡＬＯＧ」、ヤマハ株 会社、２００６年、ｐ１６
【発明の開示】
【発明が解決しようとする課題】
【０００７】
設置時のインストール作業が終了すると、設定用のノートパソコンは取り外されるため、シリアル通信用のコネクタは不要になる。また、インストール時には、リモコン信号を受信するためのリモコン受信ユニットは不要である。
【０００８】
にもかかわらず、従来のカラオケアンプでは、図１に示すように、シリアル通信用のコネクタとリモコン信号受信用のコネクタを併置していたため、コネクタ用のスペースが多く必要となり背面パネルの広い範囲を占有していた。また、部品点数が多くなりコストアップにつながっていた。
【０００９】
以上はカラオケアンプについて説明したが、インストール時に必要なコネクタと通常運用時に必要なコネクタが異なる機器について共通の問題点である。
【００１０】
この発明は、双方向のシリアル通信と単方向の信号受信とを別々の場面で行う電子機器において、シリアル通信コネクタと信号受信用コネクタを共用した電子機器を提供することを目的とする。
【課題を解決するための手段】
【００１１】
請求項１の発明は、シリアル通信用の受信端子、送信端子および第１、第２の信号受信用端子を有し、シリアル通信動作および信号受信動作を実行する制御部と、第１、第２の信号端子を有する外部機器接続用のコネクタと、を備え、前記第１の信号端子に前記受信端子および前記第１の信号受信用端子を接続するとともに、前記第２の信号端子に前記送信端子および前記第２の信号受信用端子を接続したことを特徴とする。
【００１２】
請求項２の発明は、前記制御部は、前記シリアル通信用の受信端子に信号が入力され とき前記シリアル通信動作を実行し、前記第１、第２の信号受信用端子に信号が入力されたとき信号受信動作を実行することを特徴とする。
【発明の効果】
【００１３】
この発明によれば、シリアル通信と単方向の信号受信とを同時に行わない装置の場合、シリアル通信を行う場面ではコネクタにシリアル通信機器を接続し、単方向の信号受信を行う場面ではコネクタに信号出力装置を接続することにより、コネクタ数を節約することができる。
【発明を実施するための最良の形態】
【００１４】
図３はこの発明の実施形態であるカラオケアンプの端子接続の態様を示すブロック図、図４は同カラオケアンプの裏面パネルの一部構成を示す図である。
【００１５】
図３に示すように、カラオケアンプ１は、制御部であるＣＰＵ１０を備えている。ＣＰＵ１０には、信号入出力端子としてＲｅｍｏｔｅ０，Ｒｅｍｏｔｅ１，Ｒｘ，Ｔｘが設けられている。端子Ｒｅｍｏｔｅ０，Ｒｅｍｏｔｅ１は、カラオケアンプ１に外部接続されるリモコン受光ユニット３、４が受信したリモコン信号を入力するための端子である。端子Ｒｘ，Ｔｘは、カラオケアンプ１の動作設定用のノートパソコン２とシリアル通信するための受信端子Ｒｘ，送信端子Ｔｘである。
【００１６】
一方、図４に示すように、カラオケアンプ１は、筐体の背面に１つのコネクタ１２を有している。コネクタ１２は、４端子のミニＤＩＮコネクタである。図３では、４つの端子を、１２Ａ，１２Ｂ，１２Ｈ，１２Ｇと呼ぶ。端子１２Ａ，Ｂは信号用の端子である。端子１２Ｈは電源用の端子であり、カラオケアンプ１の電源回路から＋５Ｖの電圧が供給される。端子１２Ｇは接地端子であり、カラオケアンプ１のＧＮＤ線に接続されている。
【００１７】
コネクタ１２の信号端子１２Ａは、ＣＰＵ１０のＲｅｍｏｔｅ０およびＲｘに接続されている。また、信号端子１２Ｂは、ＣＰＵ１０のＲｅｍｏｔｅ１およびＴｘに接続されている。
【００１８】
カラオケアンプ１の設置時には、カラオケアンプ１の設定（インストール）作業を行うため、図３（Ａ）に示すように、設定用のノートパソコン２がコネクタ１２に接続される。ノートパソコン２とカラオケアンプ１のＣＰＵ１０とはシリアル通信を行う。ノートパソコン２はＲＳ２３２Ｃコネクタを介して信号を送受信する。ＲＳ２３２Ｃインタフェースの電圧仕様は±１２Ｖである。一方、ミニＤＩＮコネクタ１２は、カラオケアンプ１の内部回路に接続されているため、ＴＴＬレベルすなわち５Ｖで信号の入出力を行う。ノートパソコン２のＲＳ２３２Ｃコネクタとカラオケアンプ１のコネクタ１２との間には信号レベル変換装置５が接続されている。信号レベル変換装置５は、ノートパソコン２から入力された±１２Ｖの信号を５Ｖの信号に変換してカラオケアンプ１のコネクタ１２に向けて出力し、カラオケアンプ１のコネクタ１２から入力された５Ｖの信号を±１２Ｖの信号に変換してノートパソコン２のＲＳ２３２Ｃコネクタに向けて出力する。この信号レベル変換装置５はカラオケアンプ１のコネクタ１２の電源端子１２Ｈから供給される電力で動作する。
【００１９】
図３（Ａ）の形態でノートパソコン２を接続したのち、係員が、ノートパソコン２にインストールされている設定プログラムを起動し、カラオケアンプ１の動作を設定する。設定内容は、デフォルトのボリューム、エコー設定、イコライジング、ハウリングキャンセルフィルタの設定等である。
【００２０】
カラオケアンプ１のＣＰＵ１０は、Ｒｘに信号が入力されたとき設定モード（シリアル通信動作）となる。設定モードでは、Ｒｘから入力されたパラメータで動作を設定するとともに、現在の設定状態等をＴｘから送信する。なお、Ｔｘから送信するメッセージは、ケーブルの抜き差しがされたとき、このケーブルの抜き差しを跨いで継続しない程度の短いメッセージ（１秒程度）に区切って行われる。また、コネクタ１２のケーブルが差し換えられてリモコン受信ユニット３，４が接続された場合の信号の衝突を避けるため、設定モードであってもＣＰＵ１０は積極的に信号を送信せず、相手装置（設定用ノートパソコン２）からの要求に応答してメッセージを送信する動作を行う。
【００２１】
こののち、カラオケアンプ１は通常の運用に供される。通常の運用時には、設定用のノートパソコン２は不要である。そこで、コネクタ１２に２台のリモコン受光ユニット３、４が接続される。リモコン受光ユニット３、４は、赤外線リモコンから送信される曲番号等のリモコン信号を受信する外部ユニットである。カラオケアンプを含むカラオケ装置が、利用者から見えないラック等に収納されている場合にリモコン受光ユニット３，４が外付け接続される。
【００２２】
１つのコネクタ１２に２台のリモコン受光ユニット３、４を接続するため、図５に示すようなコネクタケーブル２０を用いる。このケーブル２０は、カラオケアンプ側のプラグ２１に２つのリモコン受光ユニット側プラグ２２，２３が接続されたものである。なお リモコン受光ユニット３、４側のコネクタがオス形状であるため、プラグ２２，２３はメスプラグになっている。
【００２３】
図４において、ミニＤＩＮコネクタ１２は、第１ピン１２−１〜第４ピン１２−４の４つのピンを有する。このうち、ピン１３−３が電源端子１２Ｈ、ピン１２−４が設置端子１２Ｇに対応し、ピン１２−１が信号端子１２Ａ、ピン１２−２が信号端子１２Ｂに対応する。
【００２４】
図５のコネクタケーブル２０では、カラオケアンプ側プラグ２１の１番ピン（コネクタ１２のピン１２−１に対応）が第１リモコン受光ユニット側プラグ２２の第１ピンに接続され、カラオケアンプ側プラグ２１の第２ピン（コネクタ１２のピン１２−２に対応）が第２リモコン受光ユニット側プラグ２３の第１ピンに接続されている。すなわち、カラオケアンプ側プラグ２１では第１ピン、第２ピンを２つのリモコン受光ユニット側プラグ２２、２３に分岐しているが、リモコン受光ユニット側プラグ２２、２３では両方とも第１ピンに信号線が接続されている。これにより、リモコン受光ユニットは、プラグ２２、２３のどちらに接続されるかによってコネクタ（ミニＤＩＮソケット）の配線を変更する必要がない。
【００２５】
図３（Ｂ）において、リモコン受光ユニット３が受光したリモコン信号は、コネクタ１２の信号端子１２Ａを介してＣＰＵ１０のＲｅｍｏｔｅ０端子に入力され、リモコン受光ユニット４が受光したリモコン信号は、コネクタ１２の信号端子１２Ｂを介してＣＰＵ１０のＲｅｍｏｔｅ１端子に入力される。カラオケアンプ１のＣＰＵ１０は、Ｒｅｍｏｔｅ０またはＲｅｍｏｔｅ１に信号が入力されたとき通常動作モード（信号受信動作）となり、曲番号を受信して演奏を再生する動作を行う。
【００２６】
なお、図５に示したコネクタケーブルは、リモコン受光ユニット側プラグ２２、２３ メスプラグ（中継プラグ）としているが、プラグ２２、２３をオスプラグとしてもよい。
【００２７】
また、この実施形態は、カラオケアンプ１に設定用ノートパソコン２と２台のリモコン受光ユニット３、４を接続する例について説明したが、本発明はこれに限定されず、他の電子機器に適用することも可能である。
【図面の簡単な説明】
【００２８】
【図１】従来のカラオケアンプのコネクタ配置例を示す図
【図２】従来のカラオケアンプのコネクタ接続形態を示すブロック図
【図３】この発明の実施形態であるカラオケアンプのコネクタ接続形態を示すブロック図
【図４】同カラオケアンプのコネクタ配置例を示す図
【図５】同コネクタに接続されたコネクタケーブルの例を示す図
【符号の説明】
【００２９】
１…カラオケアンプ
２…設定用ノートパソコン
３、４…リモコン受光ユニット
５…信号レベル変換装置
１０…ＣＰＵ
１２…（ミニＤＩＮ）コネクタ
２０…コネクタケーブル
２１…カラオケアンプ側プラグ
２２、２３…リモコン受光ユニット側プラグ
【図１】
2010057086.tif 000003
【図２】
2010057086.tif 000004
【図３】
2010057086.tif 000005
【図４】
2010057086.tif 000006
【図５】
2010057086.tif 000007